(57)【要約】【課題】付加ユニットを具備する照明器具において、かかる付加ユニットを使用することができる器具や人物を、照明器具の管理者が許可する範囲に限定すること。【解決手段】実施形態に係る照明器具は、点灯装置と、付加ユニットと、制御部とを具備する。点灯装置は、光源を点灯させる。付加ユニットは、照明とは異なる機能を付加する。制御部は、付加ユニットを制御する。そして、制御部は、所定の認証手段により受け取った認証情報に基づいて認証を行うことで付加ユニットを動作させる。【選択図】図１
2018163788.tif 000002
【特許請求の範囲】
【請求項１】
光源を点灯させる点灯装置と；
照明とは異なる機能を付加する付加ユニットと；
前記付加ユニットを制御する制御部と；
を具備し、
前記制御部は、
所定の認証手段により受け取った認証情報に基づいて認証を行うことで前記付加ユニットを動作させる
照明器具。
【請求項２】
前記付加ユニットは、
他の器具と接続可能に構成され、前記他の器具に電力を供給する接続ポートである
請求項１に記載の照明器具。
【請求項３】
前記制御部は、
あらかじめ登録された前記認証情報を有する前記他の器具、またはあらかじめ登録された前記認証情報を有する使用者が所持する前記他の器具に限定して電力を供給する
請求項２に記載の照明器具。
【請求項４】
前記接続ポートは、
有線または無線にて前記他の器具と接続される
請求項２または３に記載の照明器具。
【請求項５】
前記制御部は、
前記点灯装置に電力が供給される場合、前記接続ポートに前記他の器具が接続される場合、または前記他の器具が再接続される場合ごとに、前記他の器具に電力を供給する認証を行う
請求項２〜４のいずれか一つに記載の照明器具。
【請求項６】
前記所定の認証手段は、
有線方式、無線通信方式および非接触タグ方式のうち少なくともいずれか一つである
請求項１〜５のいずれか一つに記載の照明器具。
【請求項７】
前記制御部は、
複数の前記所定の認証手段を組み合わせて、前記付加ユニットを動作させる認証を行う
請求項１〜６のいずれか一つに記載の照明器具。
【発明の詳細な説明】
【技術分野】
【０００１】
本発明の実施形態は、照明器具に関する。
【背景技術】
【０００２】
従来、照明とは異なる機能を付加する付加ユニットを具備する照明器具が提供されている。かかる付加ユニットとしては、たとえば、電子機器と接続可能に構成され、かかる電子機器に電力を供給する接続ポートなどが挙げられる。
【０００３】
ところで、かかる付加ユニットを具備する照明器具では、付加ユニットの使用を許可された器具や人物のみならず、使用を許可されていない器具や人物にも、この付加ユニットが使用されてしまう恐れがある。
【先行技術文献】
【特許文献】
【０００４】
【特許文献１】特開２０１６―９１９４５号公報
【発明の概要】
【発明が解決しようとする課題】
【０００５】
本発明が解決しようとする課題は、付加ユニットを具備する照明器具において、かかる付加ユニットを使用することができる器具や人物を、照明器具の管理者が許可する範囲に限定することができる照明器具を提供することである。
【課題を解決するための手段】
【０００６】
実施形態に係る照明器具は、点灯装置と、付加ユニットと、制御部とを具備する。点灯装置は、光源を点灯させる。付加ユニットは、照明とは異なる機能を付加する。制御部は、前記付加ユニットを制御する。そして、前記制御部は、所定の認証手段により受け取った認証情報に基づいて認証を行うことで前記付加ユニットを動作させる。
【発明の効果】
【０００７】
本発明によれば、付加ユニットを具備する照明器具において、かかる付加ユニットを使用することができる器具や人物を、照明器具の管理者が許可する範囲に限定することができる。
【図面の簡単な説明】
【０００８】
【図１】図１は、実施形態に係る照明器具の構成例を示す図である。
【図２】図２は、実施形態に係る照明器具における認証プロセスの一例を示す図である。
【図３】図３は、実施形態に係る照明器具における認証プロセスの別の一例を示す図である。
【図４】図４は、実施形態に係る照明器具における認証プロセスのまた別の一例を示す図である。
【図５】図５は、実施形態に係る照明器具における認証プロセスのさらに別の一例を示す図である。
【発明を実施するための形態】
【０００９】
以下で説明する実施形態に係る照明器具１は、点灯装置１０と、付加ユニット２０と、制御部３０とを具備する。点灯装置１０は、光源３を点灯させる。付加ユニット２０は、照明とは異なる機能を付加する。制御部３０は、付加ユニット２０を制御する。そして、制御部３０は、所定の認証手段により受け取った認証情報に基づいて認証を行うことで付加ユニット２０を動作させる。
【００１０】
また、以下で説明する実施形態に係る照明器具１において、付加ユニット２０は、他の器具（接続器具５）と接続可能に構成され、他の器具（接続器具５）に電力を供給する接続ポート２０である。
【００１１】
また、以下で説明する実施形態に係る照明器具１において、制御部３０は、あらかじめ登録された認証情報を有する他の器具（接続器具５）、またはあらかじめ登録された認証情報を有する使用者が所持する他の器具（接続器具５）に限定して電力を供給する。
【００１２】
また、以下で説明する実施形態に係る照明器具１において、接続ポート２０は、有線または無線にて他の器具（接続器具５）と接続される。
【００１３】
また、以下で説明する実施形態に係る照明器具１において、制御部３０は、点灯装置１０に電力が供給される場合、接続ポート２０に他の器具（接続器具５）が接続される場合、または他の器具（接続器具５）が再接続される場合ごとに、他の器具（接続器具５）に電力を供給する認証を行う。
【００１４】
また、以下で説明する実施形態に係る照明器具１において、所定の認証手段は、有線方式、無線通信方式および非接触タグ方式のうち少なくともいずれか一つである。
【００１５】
また、以下で説明する実施形態に係る照明器具１において、制御部３０は、複数の所定の認証手段を組み合わせて、付加ユニット２０を動作させる認証を行う。
【００１６】
以下、図面を参照して、実施形態に係る照明器具１を説明する。実施形態において同一の部位には同一の符号を付し、重複する説明は省略される。
【００１７】
［実施形態］
図１は、実施形態に係る照明器具１の構成例を示す図である。図１に示すように、照明器具１は、交流電源２と光源３との間に接続され、交流電源２から供給される電力を用いて光源３を点灯させる。
【００１８】
交流電源２は、たとえば、商用電源などである。光源３は、一種の負荷であり、たとえば、ＬＥＤ（Light  Emitting  Diode）素子や有機ＥＬ（Electro-Luminescence）素子などで構成される。そして、照明器具１と光源３とを具備する照明装置４が構成される。
【００１９】
図１に示すように、照明器具１は、点灯装置１０と、付加ユニット２０と、制御部３０と、記憶部４０とを具備する。点灯装置１０は、交流電源２から供給される電力を所定の電力に変換して、変換された電力を光源３に供給する。点灯装置１０は、たとえば、交流電源２から供給される交流電力を所定の直流電力に変換して、かかる直流電力を光源３に供給する。
【００２０】
付加ユニット２０は、照明以外の機能を照明器具１に付加するユニットであり、照明器具１に着脱可能に取り付けられる。なお、ここでいう「着脱可能」とは、容易に取り付けおよび取り外しが可能である様態も含むし、取り付け後に固定手段などにより容易に取り外せない態様も含むものである。そして、たとえば、照明器具１の主たる機能とは別に機能を追加または補充したい場合に、照明器具１へ組み込むことで機能追加などが行える態様にできるものを意図する。
【００２１】
かかる付加ユニット２０は、たとえば、接続器具５（図２参照）と接続可能に構成され、接続器具５と接続されることにより、接続器具５に電力を供給することができる接続ポートである。なお、付加ユニット２０はかかる接続ポートに限られることはなく、不特定の器具や人物が使用できる機能が付加されるユニットであればどのようなものであってもよい。
【００２２】
制御部３０は、付加ユニット２０の動作を制御する。制御部３０は、たとえば、マイコン（マイクロコントローラまたはマイクロコンピュータ）やプロセッサなどの制御用部品を備える。記憶部４０は、制御部３０に接続され、照明器具１の管理者によりあらかじめ登録された認証情報（以下、登録認証情報とも呼称する。）を記憶する。
【００２３】
ここで、実施形態では、制御部３０が、後述する各種認証手段により、接続器具５に記憶された認証情報や、使用者が所持する非接触タグ６（図４参照）に記憶された認証情報を取得し、かかる取得した認証情報が、記憶部４０に記憶されている登録認証情報と一致するか否かを判断する。
【００２４】
そして、制御部３０は、取得した認証情報と登録認証情報とが一致する場合には、付加ユニット２０を動作させ、取得した認証情報と登録認証情報とが一致しない場合には、付加ユニット２０を動作させない。
【００２５】
このように、取得した認証情報と登録認証情報とが一致する場合に限定して付加ユニット２０を動作させることにより、付加ユニット２０を具備する照明器具１において、かかる付加ユニット２０を使用することができる接続器具５や人物を、照明器具１の管理者が許可する範囲に限定することができる。
【００２６】
つづいて、実施形態にかかる照明器具１における各種認証プロセスについて、図２〜図５を参照しながら説明する。なお、以降においては、付加ユニット２０が接続ポート（以下、接続ポート２０とも呼称する。）である場合について説明する。図２は、実施形態に係る照明器具１における認証プロセスの一例を示す図である。
【００２７】
図２に示す例において、まず、接続器具５を所持する使用者は、かかる接続器具５と接続ポート２０とを有線で接続する（図２の（ａ１）参照）。たとえば、接続ポート２０に設けられるＵＳＢ（Universal  Serial  Bus）ポートと、接続器具５に設けられるＵＳＢポートとの間を、ＵＳＢケーブルを用いて有線接続する。
【００２８】
次に、接続ポート２０に有線接続された配線を介して、制御部３０は、接続器具５にあらかじめ記憶されている認証情報を取得する（図２の（ａ２）参照）。すなわち、図２に示す例において、上述の「認証手段」は有線方式となる。かかる認証情報は、たとえば、接続器具５固有の機器ＩＤなどである。
【００２９】
つづいて、制御部３０は、取得した接続器具５の認証情報と、記憶部４０に記憶されている登録認証情報とを比較して、接続された接続器具５を認証するか否かを判断する（図２の（ａ３）参照）。そして、制御部３０は、取得した接続器具５の認証情報と登録認証情報とが一致する場合には接続ポート２０を開放し（図２の（ａ４）参照）、かかる接続ポート２０から接続器具５に電力が供給される。
【００３０】
一方で、制御部３０は、取得した接続器具５の認証情報と登録認証情報とが一致しない場合には、接続ポート２０を開放しない。これにより、照明器具１の管理者が使用を許可していない接続器具５に対して、接続ポート２０から電力が供給されることを防ぐことができる。
【００３１】
図３は、実施形態に係る照明器具１における認証プロセスの別の一例を示す図である。図３に示す例において、まず、接続器具５を所持する使用者は、かかる接続器具５と照明器具１とを無線通信で接続する。これにより、制御部３０は、接続器具５にあらかじめ記憶されている認証情報を取得する（図３の（ｂ１）参照）。すなわち、図３に示す例において、「認証手段」は無線通信方式となる。
【００３２】
たとえば、照明器具１に無線ＬＡＮ（Local  Area  Network）ポートが具備され、かかる無線ＬＡＮポートと接続器具５とが無線通信で接続される。そして、制御部３０は、たとえば、接続器具５固有のＭＡＣ（Media  Access  Control）アドレスを接続器具５の認証情報として取得する。
【００３３】
つづいて、制御部３０は、取得した接続器具５の認証情報と、記憶部４０に記憶されている登録認証情報とを比較して、接続された接続器具５を認証するか否かを判断する（図３の（ｂ２）参照）。そして、制御部３０は、取得した接続器具５の認証情報と登録認証情報とが一致する場合に、接続ポート２０を開放する（図３の（ｂ３）参照）。
【００３４】
ここで、開放された接続ポート２０と接続器具５とを有線接続または無線接続する（図３の（ｂ４）参照）ことにより、接続ポート２０から接続器具５に電力を供給することができる。
【００３５】
一方で、制御部３０は、取得した接続器具５の認証情報と登録認証情報とが一致しない場合には、接続ポート２０を開放しない。これにより、照明器具１の管理者が使用を許可していない接続器具５に対して、接続ポート２０から電力が供給されることを防ぐことができる。
【００３６】
なお、開放された接続ポート２０と接続器具５とを無線接続して電力を供給する場合、たとえば、ワイヤレス電力伝送技術を用いて接続器具５に電力を供給することができる。
【００３７】
図４は、実施形態に係る照明器具１における認証プロセスのまた別の一例を示す図である。図４に示す例において、まず、接続器具５を所持する使用者は、照明器具１の管理者などから提供された非接触タグ６を照明器具１に近づける。これにより、制御部３０は、非接触タグ６にあらかじめ記憶されている認証情報を取得する（図４の（ｃ１）参照）。すなわち、図４に示す例において、「認証手段」は非接触タグ方式となる。
【００３８】
たとえば、照明器具１にＲＦＩＤ（Radio  Frequency  Identification）ポートが具備され、かかるＲＦＩＤポートとＲＦＩＤタグである非接触タグ６とが無線で接続される。そして、制御部３０は、たとえば、非接触タグ６固有のＲＦＩＤを接続器具５の認証情報として取得する。
【００３９】
つづいて、制御部３０は、取得した非接触タグ６の認証情報と、記憶部４０に記憶されている登録認証情報とを比較して、非接触タグ６を認証するか否かを判断する（図４の（ｃ２）参照）。そして、制御部３０は、取得した接続器具５の認証情報と登録認証情報とが一致する場合に、接続ポート２０を開放する（図４の（ｃ３）参照）。
【００４０】
ここで、開放された接続ポート２０と接続器具５とを有線接続または無線接続する（図４の（ｃ４）参照）ことにより、接続ポート２０から接続器具５に電力を供給することができる。
【００４１】
一方で、制御部３０は、取得した非接触タグ６の認証情報と登録認証情報とが一致しない場合には、接続ポート２０を開放しない。これにより、照明器具１の管理者が使用を許可していない（すなわち、あらかじめ登録された認証手段を有する非接触タグ６を所持していない）人物に対して、接続ポート２０から電力が供給されることを防ぐことができる。
【００４２】
ここまでは、１つの認証手段を用いて接続器具５を認証するプロセスについて説明したが、複数の認証手段を組み合わせて接続器具５を認証してもよい。図５は、実施形態に係る照明器具１における認証プロセスのさらに別の一例を示す図である。
【００４３】
図５に示す例において、まず、接続器具５を所持する使用者は、かかる接続器具５と接続ポート２０とを有線で接続する（図５の（ｄ１）参照）。たとえば、接続ポート２０に設けられるＵＳＢポートと、接続器具５に設けられるＵＳＢポートとの間を、ＵＳＢケーブルを用いて有線接続する。
【００４４】
次に、接続ポート２０に有線接続された配線を介して、制御部３０は、接続器具５にあらかじめ記憶されている第１の認証情報を取得する（図５の（ｄ２）参照）。かかる第１の認証情報は、たとえば、接続器具５固有の機器ＩＤなどである。すなわち、図５に示す例において、有線方式が第１の認証手段となる。
【００４５】
つづいて、接続器具５を所持する使用者は、照明器具１の管理者などから提供された非接触タグ６を照明器具１に近づける。これにより、制御部３０は、非接触タグ６にあらかじめ記憶されている第２の認証情報を取得する（図５の（ｄ３）参照）。
【００４６】
たとえば、照明器具１にＲＦＩＤポートが具備され、かかるＲＦＩＤポートとＲＦＩＤタグである非接触タグ６とが無線で接続される。そして、制御部３０は、たとえば、非接触タグ６固有のＲＦＩＤを第２の認証情報として取得する。すなわち、図５に示す例において、非接触タグ方式が第２の認証手段となる。
【００４７】
つづいて、制御部３０は、取得した第１の認証情報および第２の認証情報と、記憶部４０に記憶されている登録認証情報とを比較して、接続された接続器具５を認証するか否かを判断する（図５の（ｄ４）参照）。そして、制御部３０は、取得した第１の認証情報および第２の認証情報と登録認証情報とが一致する場合には接続ポート２０を開放し（図５の（ｄ５）参照）、かかる接続ポート２０から接続器具５に電力が供給される。
【００４８】
一方で、制御部３０は、取得した第１の認証情報および第２の認証情報と登録認証情報とが一致しない場合には、接続ポート２０を開放しない。これにより、照明器具１の管理者が使用を許可していない接続器具５や人物に対して、接続ポート２０から電力が供給されることを防ぐことができる。
【００４９】
ここまで説明したように、複数の認証手段を組み合わせて接続ポート２０を開放するか否かを認証することにより、かかる付加ユニット２０を使用することができる接続器具５や人物を、照明器具１の管理者が許可する範囲により確実に限定することができる。
【００５０】
なお、図５に示した例では、最初に有線方式で第１の認証情報を送り、つづいて非接触タグ方式で第２の認証情報を送ったが、認証情報を送る順番については特に限られることはない。たとえば、最初に非接触タグ方式で第１の認証情報を送り、つづいて有線方式で第２の認証情報を送ってもよい。
【００５１】
また、図５に示した例では、複数の認証手段の組み合わせとして、有線方式と無線タグ方式との組み合わせについて示したが、かかる組み合わせに限られることはない。たとえば、有線方式と無線通信方式との組み合わせであってもよく、無線通信方式と無線タグ方式との組み合わせであってもよい。さらに、組み合わせる認証手段の数は２つに限られず、３つ以上の認証手段を組み合わせてもよい。
【００５２】
図２〜図５まで示した例において、接続器具５や非接触タグ６などによる認証動作は、接続ポート２０に接続器具５が有線接続または無線接続された場合や、照明器具１に非接触タグ６が近づけられた場合に行われる。また、かかる認証動作は、接続ポート２０に接続器具５が再度接続された場合や、照明器具１に非接触タグ６が再度近づけられた場合に行われる。さらに、この認証動作は、交流電源２から点灯装置１０に電力が供給され始めた場合にも行われる。
【００５３】
また、図２〜図５まで示した例において、開放された接続ポート２０を閉じる条件としては、たとえば、接続ポート２０から接続器具５が外された場合や、点灯装置１０に交流電源２からの電力が供給されなくなった場合などが挙げられる。なお、接続ポート２０から接続器具５が外された場合でも、認証された非接触タグ６が照明器具１に近づけられ続けている場合は、接続ポート２０を開放し続けるようにしてもよい。
【００５４】
［実施形態の効果］
上述してきたように、実施形態に係る照明器具１は、接続器具５や非接触タグ６などから所定の認証手段により受け取った認証情報に基づいて認証を行うことで、付加ユニット２０を動作させる。このため、実施形態にかかる照明器具１において、付加ユニット２０を使用することができる器具や人物を、照明器具１の管理者が許可する範囲に限定することができる。
【００５５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１  照明器具
２  交流電源
３  光源
４  照明装置
５  接続器具
６  非接触タグ
１０  点灯装置
２０  付加ユニット（接続ポート）
３０  制御部
４０  記憶部
【図１】
2018163788.tif 000003
【図２】
2018163788.tif 000004
【図３】
2018163788.tif 000005
【図４】
2018163788.tif 000006
【図５】
2018163788.tif 000007